(57)【特許請求の範囲】
【請求項１】
着色層及びその上に積層される着色層とは異色の不透明表皮層を有する装飾性積層シートであって、
少なくとも上記着色層及び不透明表皮層を貫通し、かつ、表皮層側から見たときに不透明表皮層下にある着色層の色を視認することが可能な孔を該シート全面に複数個設けており、不透明表皮層の厚さが孔の径より薄い装飾性積層シート。
【請求項２】
着色層の厚さが０．１ｍｍ以上であり、孔の径が０．１〜１０ｍｍで、不透明表皮層が着色層の色を隠蔽し得るものである請求項１記載の装飾性積層シート。
【発明の詳細な説明】
【０００１】
【発明の属する技術分野】
本発明は、車輌内装材、家具表装材、靴胛被、鞄、袋物等の素材として使用される装飾性積層シートに関する。
【０００２】
【従来の技術】
従来より、車輌内装材、家具表装材、靴胛被、鞄、袋物等の素材として、各種材料からなる装飾シート、具体的には、各種繊維からなる織布、編布、不織布等の布帛類；塩化ビニル系樹脂、オレフィン系樹脂、熱可塑性エラストマー等からなる単層もしくは複数層の合成樹脂シート；布帛類の表面に単層もしくは複数層の塩化ビニル系樹脂層や熱可塑性エラストマー層等を形成したいわゆる合成樹脂レザー；天然皮革；合成皮革、人工皮革、床革の表面にポリウレタンからなる銀面層を形成したいわゆるスプリットレザー等の皮革様シート；ゴム引布；等の装飾シートが使用されている。
【０００３】
【発明が解決しようとする課題】
ところで、現在では価値観が多様化しており、上記分野に使用される装飾シートに対しても、従来とは違った新しい外観、風合いを有するものの開発が求められている。
本発明は、上記の要望に応えるものの一つとして、従来とは異なった外観を有する装飾シートを提供するものである。
【０００４】
【課題を解決するための手段】
上記の課題を解決するべくなされた本発明は、着色層及びその上に積層される着色層とは異色の不透明表皮層を有し、少なくとも上記着色層及び不透明表皮層を貫通し、かつ、表皮層側から見たときに不透明表皮層下にある着色層の色を視認することが可能な孔を複数個設けてなる装飾性積層シートをその要旨とするものである。
そして、上記の構成からなる本発明の装飾性積層シートは、シートに設けた孔より垣間見ることができる着色層の色と不透明表皮層の色とのコントラスト、及び、上記着色層の見え方が見る角度により変化するという特性により、従来の装飾シートには見られない、変化に富んだ新規の意匠を現出したものとなっているのである。
また、この意匠的効果は、例えば、座席の表装材等の三次元的な形状とした場合に、より顕著に発現する。
【０００５】
【発明の実施の形態】
以下、図面に基づき、本発明の装飾性積層シートについて説明する。
図１は、本発明の装飾性積層シートを示す部分拡大斜視図であり、図中の符号１は本発明の装飾性積層シート、符号１１は着色層、符号１２は不透明表皮層、符号２は着色層及び不透明表皮層を貫通する孔、をそれぞれ示している。
【０００６】
本発明の装飾性積層シートにおける着色層１１は、層全体を所望の色に着色可能なものであれば、如何なるものであってもよく、例えば、塩化ビニル系樹脂、オレフィン系樹脂、ウレタン系樹脂、熱可塑性エラストマー等からなる発泡或いは非発泡の合成樹脂層；ポリエステル、ポリアミド、ポリアクリロニトリル、ポリオレフィン、ポリビニルアルコール等の合成繊維、綿、麻、絹、羊毛等の天然の植物性或いは動物性繊維、レーヨン、スフ、アセテート等の再生繊維、ガラス繊維等の無機繊維、等の単独もしくはこれらの混紡繊維、或いは海島型構造から少なくとも一成分を溶解除去したり、芯鞘型もしくは交互配列による蜜柑型構造の二成分繊維を分割したりすることにより極細繊維に変性された多成分繊維、等からなる必要に応じて起毛処理された織布、編布、不織布等の布帛類からなる層；樹脂を含浸させた布帛類（布帛にポリウレタン溶液を含浸させた後、水等のポリウレタンの非溶媒中に浸漬して湿式凝固させ、微多孔層を形成したもの等も含む）からなる層；紙類からなる層；等である。
【０００７】
本発明の装飾性積層シート１においては、着色層１１の厚さは重要な要素である。
それは、着色層１１の厚さがあまり薄すぎると、孔２から着色層１１の色を視認することができず、或いは、視認し得る角度が極限られたものとなるなど、本発明において目的とする意匠効果が極めて乏しいものとなるからである。
従って、本発明における装飾性積層シート１における着色層１１の厚さとしては、０．１ｍｍ以上、特に０．５ｍｍ以上とするのが望ましい。
一方、本発明において目的とする意匠効果を得るという観点からすれば、着色層１１の厚さの上限はないが、この着色層１１の厚さを極端に厚くすると、上記用途に使用するシートに求められる二次加工時の作業性等を損なうことになるため、一般的には、２ｍｍ程度が上限である。
【０００８】
一方、不透明表皮層１２については、所望の色に着色可能で、かつ、着色層の色を隠蔽することができるものであれば、如何なるものであっても使用可能であり、具体的には、上記した着色層１１と同様の材料によって構成することができる。
また、本発明の装飾性積層シート１において、不透明表皮層１２の厚さは、着色層１１の色を隠蔽することができる範囲であれば特に制限はないが、あまり極端に厚くなると、孔２から着色層１１の色を視認し難くなるため、少なくとも、設けた孔２の径よりも薄くするのが望ましい。
【０００９】
上記した通り、本発明の装飾性積層シート１において、その不透明表皮層１２に求められる特性として最も重要なものは、着色層１１の色を隠蔽し得るという特性である。
それは、本発明の装飾性積層シート１の意匠効果は、表皮層側からみたとき、着色層１１の色が孔２からのみ垣間見ることができ、かつ、その見え方が見る角度によって異なる、という特性によるものだからである。即ち、着色層１１の上にある表皮層を通して着色層１１の色が視認することができたのでは、この効果が発現しないのである。
一方、着色層１１にはこのような制限がなく、着色透明としたものであっても差し支えない。
【００１０】
本発明の装飾性積層シート１は、少なくとも、上記の着色層１１及び不透明表皮層１２を有するものであるが、図１或いは図２（ａ）に示すような、着色層１１及び不透明表皮層１２のみからなるものに限られず、図２（ｂ）〜（ｄ）に示すように、着色層１１の裏面に裏打ち層１３を設けることも可能である。
この裏打ち層１３に対しては、厚さ等も含め、特に制限はなく、従来よりこの種シートの裏打ち層として使用されているものであれば、いずれのものであっても使用可能である。
具体的には、上記したような合成樹脂層、布帛類からなる層、合成樹脂を含浸させた布帛類からなる層、紙類からなる層、等である。
【００１１】
また、本発明の装飾性積層シート１における着色層１１は、単層に限らず、図２（ｄ）に示すように、１１Ａと１１Ｂの二層とすることも可能である。
勿論、それ以上の数の層とすることも可能である。
【００１２】
本発明の装飾性積層シート１には、少なくとも上記の着色層１１及び不透明表皮層１２を貫通する孔２が複数箇所に設けられる。
この孔２の形状については、特に制限されるものではないが、多角形状とした場合には、その頂部より破れ易くなる等の問題があり、強度的な面からすると、図１に示すような円形状とするのが望ましい。
【００１３】
本発明の装飾性積層シート１においては、着色層１１の厚さと同様、この孔２の径が重要な要素である。
それは、上記したような厚さの着色層１１等を設けても、この孔２の径が小さすぎると、そこから着色層１１の色を視認することが事実上できなくなるからである。一方、この孔２の径が大きすぎる場合には、装飾性積層シート１の強度的な面で問題がある。
従って、本発明の装飾性積層シート１における孔２の径としては、０．１〜１０ｍｍ程度、特に０．５〜３ｍｍ程度とするのが望ましい。
【００１４】
上記の孔２は、少なくとも上記の着色層１１及び不透明表皮層１２を貫通していることが重要である。例えば、この孔２が着色層１１の途中までしか達していないと、不透明表皮層１２側から見たとき、孔２の形状通りに着色層１１の色が表れるだけで、意匠に変化がなく、面白味に欠ける。
【００１５】
また、上記の孔２は、図２（ｂ）、（ｄ）のように、裏打ち層１３までも貫通するようにしてもよいし、図２（ｃ）のように裏打ち層１３を貫通しないようにしてもよい。但し、裏打ち層１３を貫通しないように孔２を設ける場合には、少なくとも、この裏打ち層１３を、着色層１１とは異なる色とする必要がある。もし、孔２が裏打ち層１３を貫通せず、かつ、着色層１１と裏打ち層１３とが同色である場合には、孔２が着色層１１を貫通していない場合と同様に、孔２の形状通りに裏打ち層１３（着色層１１）の色が表れるだけで、意匠に変化がなく、面白味に欠ける。
【００１６】
上記の孔２の形成パターンは任意である。例えば、図１に示す例のように、均一の間隔でシート全面に形成する。但し、この隣接する孔２同志の間隔が小さすぎると、強度的な面で問題が生じることが懸念されるので、注意が必要である。
【００１７】
本発明の装飾性積層シート１においては、着色層１１と不透明表皮層１２との色の組合せも、その意匠効果を発揮させるという観点から重要な要素であり、補色関係もしくはそれに近い関係にある有彩色同志の組合せ、無彩色と有彩色との組合せ、黒と白との組合せ、等の明確な差異があるもの同志の組合せとするのが好適である。
また、着色層１２を蛍光色とするのも好ましい。
【００１８】
尚、本発明の装飾性積層シートは、従来より使用されている装飾シートにおいて一般的に行われている方法、例えば、エンボスロール等を用いてのエンボス加工、表皮層をキャスティング法によって形成する場合に、離型紙等の離型性担体に形成された絞模様等を転写するいわゆる転写法の採用等によって、表面に凹凸模様を形成したものであってもよい。
また、従来より使用されている装飾シートにおいて一般的に行われている、艶調整、表面強度向上等を目的とした表面処理等を施すことも可能である。
【００１９】
【実施例】
以下に、具体的な実施例を示すが、本発明は以下に示す実施例に限定されるものではない。
【００２０】
〔実施例１〕
離型紙上に、ポリ塩化ビニルに、可塑剤、安定剤、着色剤（顔料）等の各種添加剤を添加して調製した黒色に着色されたポリ塩化ビニルペーストを、ドクターナイフコーターを用いて塗布し、加熱・ゲル化させ、厚さ０．１ｍｍの黒色の不透明表皮層を形成した。
【００２１】
次いで、不透明表皮層上に、ポリ塩化ビニルに、可塑剤、安定剤、発泡剤、着色剤（顔料）等の各種添加剤を添加して調製した黄緑色に着色された発泡性ポリ塩化ビニルペーストを塗布し、加熱・ゲル化させた後、発泡させて、厚さ１．０ｍｍの発泡した着色層を形成した。
更に、その上に０．１ｍｍの不織布を接着剤を介して積層した後、離型紙を剥離して三層の積層シートを得た。
【００２２】
上記のようにして得られた積層シートに、不透明表皮層〜不織布（裏打ち層）を貫通する、径が１ｍｍの円形の孔を、４ｍｍのピッチで形成し、本発明の装飾性積層シートを得た。
得られた装飾性積層シートは、見る角度によって、設けた孔より着色層を垣間見ることができ、従来の装飾シートとは違った、変化に富んだ外観を呈するものであった。
【００２３】
〔実施例２〕
離型紙上に、着色剤（顔料）によって黒色に着色されたポリウレタン溶液を、ドクターナイフコーターを用いて塗布し、加熱・乾燥させ、厚さ０．１ｍｍの黒色の不透明表皮層を形成した。
【００２４】
次いで、この不透明表皮層上に、不織布に黄緑色に着色したポリウレタン溶液を含浸させた後、１０％ジメチルホルムアミド水溶液の入った槽中に浸漬してポリウレタンを凝固させ、水洗、乾燥して得た、厚さ１．０ｍｍの着色層を、接着剤を介して積層した。
その後、離型紙を剥離して、二層の積層シートを得た。
【００２５】
上記のようにして得られた積層シートに、不透明表皮層〜着色層を貫通する、径が１ｍｍの円形の孔を４ｍｍのピッチで形成し、本発明の装飾性積層シートを得た。
得られた装飾性積層シートは、見る角度によって、設けた孔より着色層を垣間見ることができ、従来の装飾シートとは違った、変化に富んだ外観を呈するものであった。
【００２６】
【発明の効果】
以上、詳述したように、本発明の装飾性積層シートは、見る角度によって、設けた孔より不透明表皮層の下層である着色層を垣間見ることができるといった、従来にはない意匠効果を有するものである。
【００２７】
更に、付帯的な効果ではあるが、裏打ち層を設けない場合、孔が裏打ち層までも貫通する場合、或いは、孔が裏打ち層を貫通しないが、裏打ち層自体が布帛類等のように通気性に富む場合においては、本発明の装飾性積層シートは通気性に優れるものであり、座席の表装材等の通気性が要求されるような箇所に使用する素材として好適であるといった利点もある。
【図面の簡単な説明】
【図１】本発明の装飾性積層シートの一実施例を示す部分拡大斜視図である。
【図２】本発明の装飾性積層シートの実施例を示す部分拡大断面図である。
【符号の説明】
１    装飾性積層シート
１１  着色層
１２  不透明表皮層
１３  裏打ち層
２    孔
【図１】
0004083281.tif 000002
【図２】
0004083281.tif 000003